(57)【要約】【課題】  必要とされるミラー等の清掃をより容易にしたガラス製容器を検査するための機械の提供。【解決手段】  直線経路に沿って搬送されつつある容器を検査するための機械。この機械１０は、コンベア１２を点検するためにオペレータが使用するコンベアの経路２５の前方中央の開口領域の両側において同コンベアの前方に配置されたキャビネットを有している。これらのキャビネットの内側側部は、電子部品に対するアクセスのために開口しており、前記中央の開口部は、前記キャビネットの側部に開放可能に取り付けられた一対のドア２１，２２によって閉じられ且つ前記キャビネットの開口した側部を介する電子部品へのアクセスを提供するために、同キャビネットから引っ張り出すことができる。【選択図】  図２
2005024545.tif 000002
【特許請求の範囲】
【請求項１】
直線経路に沿って搬送されつつある容器を検査するための機械であって、
前記直線経路の前方左端部に設けられた第１のキャビネット手段と、
前記直線経路の前方右端部に設けられた第２のキャビネット手段であって、前記直線経路の前方及び前記第１のキャビネット手段との間に開口領域を形成している第２のキャビネット手段と、を含み、
前記第１及び第２のキャビネット手段は、前記開口領域の側部を形成している開口した側部を有しており、更に、
第１及び第２のドアと、
前記第１のキャビネット手段の開口した側部に前記第１のドアを取り付けるための第１の取り付け手段であって、前記ドアが、前記開口領域内への入口を閉じる閉塞位置から、前記開口した側部に当接する開口位置へと押すことができるようになされ、同ドアは、前記第１のキャビネット手段の開口した側部へのアクセスを提供するために、前記第１のキャビネット手段から取り外すことができるようになされた、第１の取り付け手段と、
前記第２のキャビネット手段の開口した側部に前記第２のドアを取り付けるための第２の取り付け手段であって、前記ドアが、前記開口領域内への入口を閉じる閉塞位置から、前記第２のキャビネット手段の前記開口した側部に当接する開口位置へと押すことができるようになされ、同ドアは、前記第２のキャビネット手段の開口した側部へのアクセスを提供するために、前記第２のキャビネット手段から取り外すことができるようになされた、第２の取り付け手段と、を含んでいる、容器を検査するための機械。
【発明の詳細な説明】
【技術分野】
【０００１】
本発明は、ボトルの欠陥を検査する機械に関し、より特別には、ボトルが直線状のコンベア装置によって１以上の検査ステーションの中を搬送されるようになされた機械に関する。
【背景技術】
【０００２】
ガラス製のボトル等を検査するための機械は、カメラ技術を使用する検査を益々行っている。このような用途においては、ミラーが像をカメラへと再度導き、大規模な光源が適正な照射を保証している。ガラス製のボトルを製造する工場内の装置は、清潔ではなく、光源、ミラー及びカメラレンズの周期的な清掃を必要とするので、この装置へのアクセスは、機械の設計において重要性が高い。
【発明の開示】
【発明が解決しようとする課題】
【０００３】
本発明の目的は、必要とされるミラー等の清掃をより容易にしたガラス製容器を検査するための機械を提供することである。
【課題を解決するための手段】
【０００４】
上記目的を達成するために、本発明においては、
前記直線経路の前方左端部に設けられた第１のキャビネット手段と、
前記直線経路の前方右端部に設けられた第２のキャビネット手段であって、前記直線経路の前方及び前記第１のキャビネット手段との間に開口領域を形成している第２のキャビネット手段と、を含み、
前記第１及び第２のキャビネット手段は、前記開口領域の側部を形成している開口した側部を有しており、更に、
第１及び第２のドアと、
前記第１のキャビネット手段の開口した側部に前記第１のドアを取り付けるための第１の取り付け手段であって、前記ドアが、前記開口領域内への入口を閉じる閉塞位置から、前記開口した側部に当接する開口位置へと押すことができるようになされ、同ドアは、前記第１のキャビネット手段の開口した側部へのアクセスを提供するために、前記第１のキャビネット手段から取り外すことができるようになされた、第１の取り付け手段と、
前記第２のキャビネット手段の開口した側部に前記第２のドアを取り付けるための第２の取り付け手段であって、前記ドアが、前記開口領域内への入口を閉じる閉塞位置から、前記第２のキャビネット手段の前記開口した側部に当接する開口位置へと押すことができるようになされ、同ドアは、前記第２のキャビネット手段の開口した側部へのアクセスを提供するために、前記第２のキャビネット手段から取り外すことができるようになされた、第２の取り付け手段と、
によって、直線経路に沿って搬送されつつある容器を検査するための機械を構成している。
【０００５】
本発明のその他の目的及び利点は、本明細書の以下の部分及び特許法に従って本発明の原理を組み入れられている現在のところ好ましい実施形態を図示している添付図面から明らかとなるであろう。
【発明を実施するための最良の形態】
【０００６】
図１は、機械の中をボトルを搬送するためのコンベア１２を有しているガラス製ボトルの検査機１０を示している。ボトルが機械の中を進むとき、これらのボトルは、多数の検査ステーション内を通過するであろう。プラスチック製の閉塞部材１６が頂部を横断するように枢動可能に取り付けられ、この機械へのアクセスを提供するために持ち上げることができるようになされている。この前方閉塞部材１６は、２つの固定の側方パネル１８と協働して機械を閉じる。
【０００７】
閉塞部材の下方には、３つの前方パネル２０，２１，２２と、機械を作動させるためにオペレータが使用することができる操作卓２４とが設けられている。使用していないときには、操作卓は、キャビネットの前方壁に対して押し込むことができ且つ垂直位置へと枢動する前方壁カバー２８内の窓２６によって覆われるであろう（米国特許第６，３７１，５８０号参照）。この構造は、右側において垂直枢軸（図示せず）によってフレームに固定されていて、外方へと枢動して、その中に収納されている電子部品への前方からのアクセスを提供する。最も左側のパネル２０は、ねじ３０（図２）によって開け且つフレームから取り外して、その中に収納された電子部品への前方からのアクセスを提供することができる。
【０００８】
図２は、中央パネル２１，２２の対が、コンベアの経路２５の近くで作業するためにオペレータが入ることができる開口チャンバ２３内へと内方へ開口しているドアであることを示している。図示されているように、各ドアは、機械のフレーム構造４６の一部である細長い水平のキー溝４４内へと摺動する細長いキー４２（図３）に固定されている上方及び下方のヒンジ４０を有している。
【０００９】
図２からわかるように、キー溝は機械の前方まで延びているので、各ドアは、キー溝４４からキー４２を引っ張り出すことによって機械から完全に取り外すことができる。ドアが取り外された状態でキャビネット右手の側方開口部４５及びキャビネット左手の側方開口部４６が露出され、それによって、側方からキャビネットへのアクセスが提供される。
【００１０】
最後に、ドアが開かれると、コンベア経路２５の下方の収納領域を覆っているパネル５０（図２）もまた露出される。このパネルは、左側前方パネルのように作動して、このパネルの後方に収納された電子部品へのアクセスを提供する。
【００１１】
図５及び６に示された第２の実施形態（前方カバーが明確化のために取り外されている）においては、ボトルは、右手及び左手の検査ステーション内を通過する。右手のステーションは、３つのミラー５６を支持している右手のミラーアセンブリ５４と、機械のフレーム４６に堅固に取り付けられている大きなＬＥＤ列の形態の光源アセンブリ５８と、同じく機械のフレームに取り付けられているカメラ装置（図示せず）とによって画成されている。左手のステーションは、３つのミラー５６を支持し且つ機械のフレームに堅固に取り付けられているミラーアセンブリ５４と、大きなＬＥＤ列の形態の光源アセンブリ５８と、同じく機械のフレームに取り付けられているカメラ装置（図示せず）とによって画成されている。
【００１２】
図６からわかるように、右手のミラーアセンブリ５４は、機械の右手に配置されている枢支軸６２上に取り付けられている垂直の柱６１へのコンベアの経路に近接した端部に固定されている水平アーム６０上に取り付けられている。従って、右手のミラーアセンブリは、図６に示された後退した点検位置と、図５に示された作動位置との間を枢動できる。左端部の光源アセンブリ５８は、内側端部において機械の左端部に配置された枢支軸７２に固定されている水平アーム７０上に取り付けられている。従って、左手の光源アセンブリは、図６に示された後退した点検位置と図５に示された作動位置との間を枢動できる。図５に示された作動位置においては、サービスマンが、開口領域の邪魔にならないで第１及び第２のステーションにおいてコンベア経路及び装置を点検することができる。
【００１３】
機械が、左手の光源アセンブリと右手のミラーアセンブリとが点検位置にある点検モードにあり、前方のドア２１，２２が開いているときに、オペレータは、チャンバ２３内へ踏み入むことができ且つコンベアに沿って搬送されつつあるボトルを含んでいる供給物を便利に処置し又はミラー及び光源アセンブリの全てを点検することができる。
【図面の簡単な説明】
【００１４】
【図１】本発明の教示に従って作られたボトルを検査するための検査機械の斜視図である。
【図２】頂部カバーが持ち上げられ、中央ドアが押されて開かれている状態の機械の一部分の斜視図である。
【図３】図２に示されたドアのヒンジの斜視図である。
【図４】全てのドア及びパネルが取り外された状態の図２に似た斜視図である。
【図５】代替的な実施形態を有している機械の、頂部カバーが取り外され且つ作動モードにある状態の頂面図である。
【図６】代替的な実施形態を有する機械の、点検モードにある状態の頂面図である。
【符号の説明】
【００１５】
１０  検査機、                １２  コンベア、        １６  閉塞部材、
１８  側方パネル、            ２０，２１，２２  前方パネル、
２３  開口チャンバ、          ２４  操作卓、          ２５  コンベアの経路、
２６  窓、                    ２８  前方壁カバー、    ３０  ねじ、
４０  ヒンジ、                ４２  キー、            ４４  キー溝、
４６  機械のフレーム構造、    ５４  ミラーアセンブリ、
５６  ミラー、                ５８  光源アセンブリ、
６０  水平アーム、            ６１  垂直の柱、        ６２  枢支軸、
７０  水平アーム、            ７２  枢支軸
【図１】
2005024545.tif 000003
【図２】
2005024545.tif 000004
【図３】
2005024545.tif 000005
【図４】
2005024545.tif 000006
【図５】
2005024545.tif 000007
【図６】
2005024545.tif 000008